(57)【要約】【課題】エアコンプレッサの小型化を図る。【解決手段】ベルト９１によってエアコンプレッサ本体の運搬用ハンドルを構成する。ベルト式のハンドルは、ひも状、または布状に織られた繊維や皮革などから成るベルト９１と、このベルトに装着された扁平なグリップ１００とで構成することができため、ハンドル自体の厚みを低減させることができる。さらに、これらのベルトは柔軟な材質であるため、特別な機構を設けなくても、ハンドル部が本体カバーの頂部に接するように設けることができ、エアコンプレッサ本体の全高を低く抑えることが可能になり、エアコンプレッサ本体のコンパクト化を実現できる。【選択図】図１
2018096308.tif 000002
【特許請求の範囲】
【請求項１】
圧縮空気を生成する圧縮機と、上記圧縮空気を貯える、上記圧縮機の下部に設けられたタンク部と、上記圧縮機をカバーする本体カバーとを備え、
上記本体カバーを跨ぐように配置されたベルトによって、エアコンプレッサ本体の運搬用ハンドルが形成された 
ことを特徴とするエアコンプレッサ。
【請求項２】
上記ハンドルを構成するベルトは、上記タンク部に固定された
ことを特徴とする請求項１記載のエアコンプレッサ。
【請求項３】
上記エアコンプレッサには、
上記ベルトによって拘束される規制部が設けられ、
少なくとも３箇所以上の上記規制部によって、上記エアコンプレッサ本体の運搬時の姿勢が規制される
ことを特徴とする請求項１または２に記載のエアコンプレッサ。 
【請求項４】
上記規制部は、
上記エアコンプレッサ本体に上記ベルトを固定する連結部と、
上記連結部以外で上記エアコンプレッサと上記ベルトとが当接する当接部を含み、
上記当接部は、
上記連結部と上記ハンドルの把持部とを結ぶ直線よりも外側に配置された
ことを特徴とする請求項１〜３の何れか１項に記載のエアコンプレッサ。
【請求項５】
上記当接部と上記連結部は、異なる高さに設けられる
ことを特徴とする請求項４記載のエアコンプレッサ。
【請求項６】
上記本体カバーの上部に形成された凹部に沿って、上記ベルトが配置される
ことを特徴とする請求項１〜５の何れか１項に記載のエアコンプレッサ。
【請求項７】
上記本体カバーには、上記エアコンプレッサ本体の運搬時に、上記ベルトと当接する屈曲部 が形成される
ことを特徴とする請求項１〜６何れか1項に記載のエアコンプレッサ。
【請求項８】
上記本体カバーに上記圧縮機を操作する操作部を取り付けるための突出部が設けられ、
上記突出部を跨ぐように上記ベルト端部が分岐するＹ字状のベルトが配置される
ことを特徴とする請求項１〜７の何れか１項に記載のエアコンプレッサ。
【請求項９】
上記ベルトは、メインベルトと、上記Ｙ字状をなすサブベルトとで構成され、
上記本体カバーの頂面から背面に沿って上記メインベルトが差し渡される
ことを特徴とする請求項８記載のエアコンプレッサ。
【請求項１０】
上記頂面と背面に連なる後部屈曲部は、上記メインベルトを規制するための当接部として機能し、
上記本体カバーの頂面から前面に連なる前部屈曲部が上記サブベルトを規制するための当接部として機能する
ことを特徴とする請求項９記載のエアコンプレッサ。
【請求項１１】
上記ベルトに係着されたグリップには、クッション材が内包されると共に、
上記本体カバーに設けられた凹部と接触する面側が肉厚部となされた
ことを特徴とする請求項１記載のエアコンプレッサ。
【請求項１２】
上記メインベルトとサブベルトとの連結部に係着金具が取り付けられ、
この係着金具にショルダーベルトの一端が取り付けられた
ことを特徴とする請求項９記載のエアコンプレッサ。
【発明の詳細な説明】
【技術分野】
【０００１】
この発明は、建築現場などで使用されている工事用のエアコンプレッサに関する。
【背景技術】
【０００２】
建築現場やリフォーム現場などにおいて使用される釘打機などの工具は圧縮空気を用いた工具が使用されている。また、これらの工具を駆動する圧縮空気（以下エアという）を得るために、エアコンプレッサが使用される。上述した建築現場やリフォーム現場などでは高層階への移動もあり、また狭い場所へのエアコンプレッサの設置が必要になるから、使用するエアコンプレッサとしては運搬 に便利な小型・軽量のものが好ましい。
【０００３】
エアコンプレッサを作業現場に搬入したり、搬出したりすることの他、作業現場内での移動などのために、エアコンプレッサ本体には運搬用のハンドル（可搬手段） が設けられている。運搬手段としては、運搬用のグリップ（ハンドル）をエアコンプレッサ本体の上部（天頂部）に備えたものがある（特許文献１）。
【０００４】
このエアコンプレッサは、圧縮機とタンクとを備え、圧縮空気を生成する圧縮機の上部に、圧縮空気を貯えるタンクが位置し、タンクの上部にエアコンプレッサ本体を持ち運ぶためのハンドル（グリップ）が設けられている。
【０００５】
特許文献１記載の構成は、エアコンプレッサ本体を片手で持って運ぶタイプのものであるが、両手で持ち運びする構成も知られている（特許文献２）。特許文献２の構成は、圧縮機の下側にタンクが配置されたものであって、タンクの長手方向における両端近傍に夫々運搬用のグリップを設けたものである。
【先行技術文献】
【特許文献】
【０００６】
【特許文献１】特開２００４−２１８５１４ 号
【特許文献２】特開２０１３−１８９８９７号
【発明の概要】
【発明が解決しようとする課題】
【０００７】
上述した特許文献１の構成では、タンクの上部にハンドル を直立させているので、少なくとも直立したハンドルの分だけエアコンプレッサ本体の全高が高くなってしまう。ハンドルを折り畳みできるように可倒式に構成することもできるが、ハンドル自体の厚みがあるため、エアコンプレッサ本体からハンドルが突出してしまう。さらに折り畳み式にすると圧縮機からの振動によって、折り畳まれたハンドルと本体カバーとの接触による騒音が発生したりするので、騒音や摩耗の対策を講じなければならず、結果としてハンドル取り付け構造も複雑になり、コストアップを招来してしまう。
【０００８】
特許文献１の構造とは異なり、タンクを下側に、圧縮機を上方に置く構成のものに上述したハンドルを適用したコンプレッサも存在するが、いずれの場合も上側の部品（例えば圧縮機）にハンドルが固定されているため、ハンドルを持ってコンプレッサを持ち上げた場合、上側の部品（圧縮機）と下側の部品（タンク）とを引き離す力が作用する。そのため、圧縮機とタンク部との接合部における強度も充分確保しなければならず、本体の大型化や重量の増加を招いてしまう。
【０００９】
特許文献２のものでは、ハンドルがタンクに設けられているためハンドルを持ったときに圧縮機とタンクとを引き離す力は作用しないが、タンクの両端に設けられたハンドルはタンク両端より上方に突出するようになるので、エアコンプレッサ本体が大きくなり、小型化指向とは逆行する形態となってしまう。勿論、ハンドルを１本省略して片手持ち構成とすることもできるが、エアコンプレッサ本体の重量が嵩む場合には、エアコンプレッサの持ち運び・運搬に支障を来すおそれがある。
【００１０】
そこで、この発明ではこのような問題を解決したものであって、ベルト部材でハンドルを構成することで、コンプレッサ上面から突出するハンドルの高さを低減し、安定した持ち運び・運搬を可能にした小型化が可能なエアコンプレッサを提案するものである。
【課題を解決するための手段】
【００１１】
上述した課題を解決するため、請求項１記載の発明に係るエアコンプレッサは、
圧縮空気を生成する圧縮機と、上記圧縮空気を貯える、上記圧縮機の下部に設けられたタンク部と、上記圧縮機をカバーする本体カバーとを備え、上記本体カバーを跨ぐように配置されたベルトによって、エアコンプレッサ本体の運搬用ハンドルが形成された ことを特徴とする。
【００１２】
請求項２記載のこの発明に係るエアコンプレッサは、上記ハンドルを構成するベルトは、上記タンク部に固定されることを特徴とする。
【００１３】
請求項３記載のこの発明に係るエアコンプレッサは、請求項１〜２の何れか１項記載のエアコンプレッサにおいて、上記エアコンプレッサには、上記ベルトによって拘束される規制部が設けられ、少なくとも３箇所以上の上記規制部によって、上記エアコンプレッサ本体の運搬時の姿勢が規制されることを特徴とする。 
【００１４】
請求項４記載のこの発明に係るエアコンプレッサは、請求項１〜３の何れか１項記載のエアコンプレッサにおいて、上記規制部は、上記エアコンプレッサ本体に上記ベルトを固定する連結部と、上記連結部以外で上記エアコンプレッサと上記ベルトとが当接する当接部を含み、上記当接部は、上記連結部と上記ハンドルの把持部とを結ぶ直線よりも外側に配置されたことを特徴とする。
【００１５】
請求項５記載のこの発明に係るエアコンプレッサは、請求項４記載のエアコンプレッサにおいて、上記当接部と上記連結部は、異なる高さに設けられることを特徴とする。
【００１６】
請求項６記載のこの発明に係るエアコンプレッサは、請求項１〜５の何れか１項記載のエアコンプレッサにおいて、上記本体カバーの上部に形成された凹部に沿って、上記ベルトが配置されることを特徴とする。
【００１７】
請求項７記載のこの発明に係るエアコンプレッサは、請求項１〜６の何れか１項記載のエアコンプレッサにおいて、上記本体カバーには、上記エアコンプレッサ本体の運搬時に、上記ベルトと当接する屈曲部が形成されることを特徴とする。
【００１８】
請求項８記載のこの発明に係るエアコンプレッサは、請求項１〜７の何れか１項に記載のエアコンプレッサにおいて、上記本体カバーに上記圧縮機を操作する操作部を取り付けるための突出部が設けられ、上記突出部を跨ぐように上記ベルト端部が分岐するＹ字状のベルトが配置されることを特徴とする。
【００１９】
請求項９記載のこの発明に係るエアコンプレッサは、請求項８記載のエアコンプレッサにおいて、上記ベルトは、メインベルトと、上記Ｙ字状をなすサブベルトとで構成され、上記本体カバーの頂面から背面に沿って上記メインベルトが差し渡されることを特徴とする。
【００２０】
請求項１０記載のこの発明に係るエアコンプレッサは、請求項９記載のエアコンプレッサにおいて、上記頂面と背面に連なる後部屈曲部は、上記メインベルトの規制部として機能し、上記本体カバーの頂面から前面に連なる前部屈曲部が上記サブベルトの規制部として機能することを特徴とする。
【００２１】
請求項１１記載のこの発明に係るエアコンプレッサは、請求項１記載のエアコンプレッサにおいて、上記ベルトに係着されたグリップには、クッション材が内包されると共に、上記本体カバーに設けられた凹部と接触する面側が肉厚部となされたことを特徴とする。
【００２２】
請求項１２記載のこの発明に係るエアコンプレッサは、請求項９記載のエアコンプレッサにおいて、上記メインベルトとサブベルトとの連結部に係着金具が取り付けられ、
この係着金具にショルダーベルトの一端が取り付けられたことを特徴とする。
【発明の効果】
【００２３】
請求項１に記載したこの発明に係るエアコンプレッサによれば、ベルトによってエアコンプレッサ本体の運搬用ハンドルを構成したものである。ベルト式のハンドルは、ひも状、または布状に織られた繊維や皮革などから成るベルトと、このベルトに装着された扁平なグリップとで構成することができるため、ハンドル自体の厚みを低減させることができる。さらに、これらのベルトは柔軟な材質であるため、特別な機構を設けなくても、ハンドル部が本体カバーの頂部に接するように設けることができ、エアコンプレッサ本体の全高を低く抑えることが可能になり、エアコンプレッサ本体のコンパクト化を実現できる。
【００２４】
請求項２に記載したこの発明に係るエアコンプレッサによれば、圧縮機よりも下方に配置されるタンク部にベルトを固定したので、運搬時に圧縮機とタンク部との接合部に過大な荷重が作用することがない。
【００２５】
請求項３に記載したこの発明に係るエアコンプレッサによれば、エアコンプレッサにベルトによって拘束される規制部が設けられており、少なくとも３箇所以上設けられた規制部によって、エアコンプレッサ本体運搬時の姿勢が規制されるようにしたので、エアコンプレッサ本体の持ち上げ時や運搬時にエアコンプレッサ本体が転倒したりするおそれがなくなり、安定した状態で持ち運びできる。
【００２６】
請求項４記載のこの発明に係るエアコンプレッサにおいて、規制部はエアコンプレッサ本体にベルトを固定するための連結部と、連結部以外でエアコンプレッサとベルトとが当接する当接部とを含み、連結部とハンドルの把持部（グリップ）とを結ぶ直線よりも外側に当接部を配置したので、エアコンプレッサ本体の運搬時には連結部と当接部の双方でエアコンプレッサ本体の姿勢を規制できる。その結果、エアコンプレッサ運搬時の本体姿勢が安定する。
【００２７】
請求項５記載のエアコンプレッサにおいて、当接部と連結部の設置位置（高さ）が異なるので、一層効果的にエアコンプレッサ本体の姿勢を規制できる。
【００２８】
請求項６に記載したこの発明に係るエアコンプレッサによれば、本体カバーの上部に形成した凹部に沿ってベルトを配置することができるので、請求項３記載の構成と相俟って本体運搬時における本体姿勢の安定性を確保できる。
【００２９】
請求項７に記載したこの発明に係るエアコンプレッサによれば、エアコンプレッサ本体の運搬時にベルトが当接する屈曲部を設けたので、本体持ち上げ時や運搬時における本体規制を確実に行うことができる。
【００３０】
請求項８および９に記載したこの発明に係るエアコンプレッサによれば、本体カバーの前面に設けられた圧縮機操作用の操作部を取り付けるための突出部を迂回してＹ字状ベルトをタンク部に固定したので、エアコンプレッサ本体の持ち上げ時や運搬時の姿勢が安定する。
【００３１】
請求項１０に記載したこの発明に係るエアコンプレッサによれば、エアコンプレッサ本体の持ち上げ時、本体カバーの頂面と背面に連なる後部屈曲部がメインベルトを規制するための当接部として機能し、頂面から前面に連なる前部屈曲部がサブベルトを規制するための当接部として機能することになる。これによって、本体に対するベルトの密着性が改善される。
【００３２】
請求項１１に記載したこの発明に係るエアコンプレッサによれば、上記ベルトに係着されたグリップにはクッション材が内包され、本体カバーと接触する面側が肉厚部となされているので、握り易くなっている。
【００３３】
請求項１２に記載したこの発明に係るエアコンプレッサによれば、上記メインベルトとサブベルトとの連結部を利用してショルダーベルトの一端を係着することができる。
【図面の簡単な説明】
【００３４】
【図１】この発明に係るエアコンプレッサの一例を示す右側面図である。
【図２】その正面図である。
【図３】その背面図である。
【図４】本体カバーを外した状態でのベルト式ハンドルと取り付け位置関係を示す右側面図である。
【図５】その正面図である。
【図６】その背面図である。
【図７】その平面図である。
【図８】エアコンプレッサに使用されるエア取り出し部の一例を示す使用状態での平面図である。
【図９】その正面図である。
【図１０】その左側面図である。
【図１１】本体カバーの一例を示す斜見図である。
【図１２】ベルト式ハンドルを本体カバーに取り付けた状態の要部を示す右側面図である。
【図１３】エアコンプレッサを背面側から見たときのベルト取り付け状態を示す要部の斜見図である。
【図１４】エアコンプレッサを正面側から見たときのベルト式ハンドルの取り付け状態を示す斜見図である。
【図１５】サブベルトとタンクとの取り付け状態を示す一部省略した要部の斜見図である。
【図１６】グリップと本体カバーとの関係を示す要部断面図である。
【図１７】メインベルトおよびショルダーベルトのエアコンプレッサ本体への取り付け状態を示す要部断面図である。
【図１８】後部屈曲部とメインベルトとの関係を示す要部の斜見図である。
【図１９】メインベルトの連結部における詳細を示す要部断面図である。
【発明を実施するための形態】
【実施例】
【００３５】
続いてこの発明に係わるエアコンプレッサの一例を、図面を参照して詳細に説明する。
空気圧工具を駆動するための圧縮空気を生成するエアコンプレッサは建築現場やリフォーム現場などの工事現場で使用される。
【００３６】
エアコンプレッサ１０の全体構成を示す図１〜図３はカバー本体を装着した状態の図であり、図１はその左側面図、図２は正面図、図３はその背面図である。図４〜図７はカバー本体を外した状態の図で、図４はその左側面図、図５はその正面図、図６はその背面図、図７はその平面図ある。
【００３７】
図１〜図７を参照して説明すると、エアコンプレッサ１０は、図７のように主として、
圧縮機１０Ａ、
圧縮機を支持すると共にその圧縮空気を貯めるタンク部１０Ｂ、
タンク部１０Ｂから圧縮空気を取り出すエア取り出し部１０Ｃ、
圧縮機１０Ａに対するイバータ駆動用の回路基板（インバータ基板）１０Ｄ、
圧縮機制御用の操作部１０Ｅ（図２）、
本体カバー１０Ｆ（図２）とで構成される。エアコンプレッサ本体の基本的な構成は、圧縮機１０Ａとタンク部１０Ｂである。
【００３８】
＜圧縮機の構成＞
図７に示すように、圧縮機１０Ａは圧縮用モータ１２を有し、その回転軸（モータ軸） １２Ａには、冷却ファン１３が取り付けられると共に、冷却ファン１３とは反対側のモータ軸側には圧縮用シリンダ１５ が配置される。
【００３９】
圧縮用シリンダ１５はこの例では一次シリンダ１５Ａと、二次シリンダ１５Ｂで構成され、モータ軸と直交する左右方向に配置される。圧縮用シリンダ１５で空気を圧縮するため、モータ軸と一次及び二次シリンダ１５Ａ，１５Ｂの各ピストン（図示はしない）とを連結するピストン駆動手段（図示しない）がクランクケース１６内でモータ軸に直結され、圧縮用モータ１２の回転でピストンを駆動して、圧縮用シリンダ１５内の空気を圧縮する。ピストン駆動手段がモータ軸に直結されているため、圧縮用モータ１２、クランクケース１６および圧縮用シリンダ１５は一体化されている。
【００４０】
一次シリンダ１５Ａの圧縮空気は、クランクケース１６の上方を跨ぐように配管されたエア連結管１７を介して二次シリンダ１５Ｂに送り込まれ、二次シリンダ１５Ｂでさらに高圧に圧縮された圧縮空気は、エア連結管１８を介してこの例では右側のタンク２１Ｂに送り込まれる。
【００４１】
＜モータとタンクとの関係＞
圧縮機１０Ａは図４以下に示すようにタンク部１０Ｂの上部に取り付けられる。この例では、タンク部１０Ｂが連結された２本の円筒状のタンクで構成されている。
一次シリンダ１５Ａから二次シリンダ１５Ｂまでの長さ（シリンダ軸方向の長さ）が、冷却ファン１３を含めた圧縮機１０Ａの長さ（モータ軸方向の長さ）よりも長いときは、図７のようにシリンダ軸は円筒状のタンク部１０Ｂのタンク軸と並行で、モータ軸がタンク軸と直交するように圧縮機１０Ａが載置される。エアコンプレッサ１０を小型化した場合であっても、載置された圧縮機がタンク部１０Ｂの側面よりも突出しないようにするためである。
【００４２】
タンク部１０Ｂの上部に圧縮機１０Ａが取り付けられる。図示はしないが、各タンク２１Ａ，２１Ｂに接合された金属留め具（オス側）と、圧縮機１０Ａに接合された金属金具（メス側）とを利用して固定される。
【００４３】
この場合、両者には緩衝材（ゴム材など）を介在させるも、比較的緩く嵌合されて圧縮機１０Ａが若干揺動できる構成となされている。この自在な揺動によって圧縮機１０Ａからの振動がタンク部１０Ｂ側に伝わりにくくなるようにしている。
【００４４】
タンク部１０Ｂは所定の空気量を貯えることができるような長さと径を有する円筒状の一対のタンク２１Ａ，２１Ｂが使用されると共に、双胴タンクとなるようにタンク相互は所定のピッチ（タンクピッチ）をもって取り付け固定される。この例では、タンク接合部として図５以下のように連結板体２０を溶接して相互に固定される。
【００４５】
図７に示すようにタンク部１０Ｂの後端部側の上面であって、二次シリンダ１５Ｂの下側に沿って左タンク２１Ａと右タンク２１Ｂの両者間にドレン管路２２が連結される。ドレン管路２２はタンク部の内部底面に滞留している水分を排出するためのもので、それぞれのタンク管内に水分導出管（図示はしない）が垂設されている。
【００４６】
ドレンコック２５は、右タンク２１Ｂの前面側であって、一次シリンダ１５Ａの下面付近に面した上面に設けられる。そして、このドレンコック２５はドレン連結管路（図示はしない）によって後部のドレン管路２２と連結される。ドレンコック２５から排水するための接続管２６は、図５のように左タンク２１Ａの側面側に導出される。ドレン連結および排出のための配管は一例である。
【００４７】
タンク２１Ａ，２１Ｂの下面の所定位置には複数、例えば４個の脚部５０が設けられる。脚部５０は緩衝効果を持たせるため、ゴム材の成型品などが使用される。
【００４８】
＜圧縮機とタンクの取り付け位置関係＞
図７のように圧縮機１０Ａはタンク部１０Ｂの後端側（図では右端側）に寄せて載置されることで、タンク前端上部に各種部材の取り付け用スペースが確保される。各種部材とは具体的には後述するようにエア取り出し部１０Ｃであり、圧縮機用のインバータ基板１０Ｄであり、そして圧縮機操作用の操作部１０Ｅ（図２）などの取り付けスペースである。
【００４９】
＜エア取り出し部＞
エア取り出し部１０Ｃはタンク部１０Ｂに貯留されているエアを取り出し、工具に送給するための部材であって、図７に示すように夫々のタンク前端上面側（天頂側）に設けられたエア接続口（タンク部１０Ｂの上面側に多数の構成部品が載置されているため、図示していない）に、エア取り出し部１０Ｃの一部を構成する一次圧力管路３２Ａ（図８以下）が連結される。
【００５０】
エアは一次圧力管路３２Ａ、減圧弁３３、二次圧力管路３２Ｂを経て終端のエア取り出し口（エアチャック）３８まで導かれ、エア取り出し口３８に挿着されたホースを介して工具（釘打ち機など）にエアが送給される。
【００５１】
＜エア取り出し部とタンク部との位置関係＞
エア取り出し部１０Ｃは、図７のようにタンク前端部付近（長手方向の一端部付近）に設けられ、エアコンプレッサ本体を正面から見たとき、エアコンプレッサ本体の中心に寄せられた状態となるように、しかもタンク上面より余り突出しないように、一対のエア取り出し部１０Ｃが左タンク２１Ａと右タンク２１Ｂの上部に取り付けられる。エア取り出し部１０Ｃは、全体として扁平となるように成型された管体が使用される。
【００５２】
左タンク２１Ａからのエア取り出し部１０Ｃと、右タンク２１Ｂからのエア取り出し部１０Ｃは、互いにエアコンプレッサ本体の中心近くに寄るように配置され、さらにはエア取り出し部１０Ｃに設けられたエア取り出し口３８は、一対のタンク２１Ａ，２１Ｂの対峙空間内に位置するように配置される。よって、エア取り出し口３８が上下に二股構成のようなときには、少なくとも下側に位置するエア取り出し口３８Ｂは、各タンクの中心を通る垂直軸と外周面との交点同士を結んだ接線上の近傍（上方、下方、交叉を含む）に位置するようになされるのが好ましい。
【００５３】
エア取り出し部１０Ｃがエアコンプレッサ本体の中心面側に寄せて配置されるため、エア取り出し口３８に挿着される工具用エアホースがエアコンプレッサ本体から外側に向かって大きくはみ出すことがなくなる。それによりコンプレッサの設置に広いスペースを確保する必要が無くなる。また、脱着作業をするための作業空間を狭くできるので、作業スペースが少ない現場であっても、他の工事用機材を邪魔することなく作業できる。
【００５４】
＜エア取り出し部の構成＞
エア取り出し部１０Ｃは、取り付け時の占有スペースを少なくして小型・扁平化できるように、高さ、幅及び奥行きをできるだけ短くなるように工夫されている。
【００５５】
図８にその具体例を抽出して示す。図８はタンク部１０Ｂに取り付けられたときの平面図であり、図９はその正面図（エアコンプレッサ本体の正面側）であり、図１０はその左側面図（左タンク２１Ａの側面側）である。
【００５６】
エア取り出し部１０Ｃは、一次圧力管路３２Ａと、減圧弁３３、減圧されたエアが流れる二次圧力管路３２Ｂと、さらに二次圧力管路３２Ｂの先端に設けられたエア取り出し口（エアチャック）３８とで構成される。タンク２１Ａと２１Ｂに取り付けられるエア取り出し部１０Ｃは左右対称に構成されているので、左タンク２１Ａに取り付けられるエア取り出し部１０Ｃについてのみ説明する。
【００５７】
エア取り出し部１０Ｃは、左タンク２１Ａの前面側上面の所定位置に穿設された接続口（図示せず）より上方（圧縮機方向）に立ち上がってから、エアコンプレッサ本体の中心に向かう一次圧力管路３２Ａを有する。
【００５８】
一次圧力管路３２Ａのうちモータ軸に並行な管路３９Ａの延長端にタンク内圧力を検出する圧力センサ３４が取り付けられ、モータ軸と直交し、タンク軸と並行する管路３９Ｂ上に減圧弁３３が取り付けられている。３３Ａは圧力調整用の操作部（把持部）である。
【００５９】
一次圧力管路３２Ａを構成する管路３９Ａのうち、タンク接続口に連なる上面部にはエア接続口３７Ａが設けられ、右タンク２１Ｂに取り付けられているエア取り出し部１０Ｃのエア接続口３７Ｂがエア連結管３７（図７）によって相互に連結される。これで、一対のタンク２１Ａと２１Ｂとに溜められたエアが相互に連通した状態となる。管路３９Ａの上部にエア連結管３７の接続部（エア接続口）３７Ａを設けることによって、エア連結管３７はエア取り出し部１０Ｃの上部空間（一次圧力管路３２Ａの上部空間）を利用して配管することができる。
【００６０】
減圧弁３３はエア取り出し圧を調整するためのものであり、これによってタンク部１０Ｂからのエア取り出し圧を任意に調整することができる。例えば左側のエア取り出し圧を常圧としたとき、右側のエア取り出し圧は高圧となるように調整できる。これは夫々のエア取り出し口３８（３８Ａ，３８Ｂ）に接続される工具の種類によって、要求されるエア取り出し圧が相違こともあるからである。
【００６１】
減圧弁３３は、圧縮機１０Ａのモータ軸とタンク軸にそれぞれ直交する軸と、モータ軸の２軸によって形成される面内に配されるものであり、モータ軸に対してその角度が０°となるように取り付けられる（図７，図８）。したがって、減圧弁３３はタンク軸と直交する。
【００６２】
一次圧力は減圧弁３３によって調整されて二次圧力（出力圧力）となり二次圧力管路３２Ｂに流入する。二次圧力管路３２Ｂはクランク状の管路であって、タンク軸と並行な管路３６Ａの折り曲げ端部（クランク部）３６Ｂに圧力計３５が連結される。この圧力計３５で二次圧力、すなわちエア取り出し圧を知ることができる。
【００６３】
圧力計３５は、モータ軸とタンク軸にそれぞれ直交する軸と、モータ軸およびタンク軸の３軸に囲まれた面内に配される。
【００６４】
図８〜図１０ではこの３軸に囲まれる面内であって、モータ軸とタンク軸のそれぞれに対して２０°〜３０°だけ傾け、斜め上方を向くように圧力計３５が取り付けられる。
【００６５】
圧力計３５を傾けて取り付けることで、圧力計３５を減圧弁３３に近接して配置しても、減圧弁３３を支障なく操作できると共に、圧力計３５の計器面が斜め上方を向くことになり、これで計器面にゴミなどの塵埃が付着するのを防止できる。
【００６６】
管路３６Ａに連なるモータ軸と並行な管路を経て、クランク状に折り曲げられたタンク軸と並行な管路３６Ｃの先端部がエアチャック機能を有したエア取り出し口３８となる。
【００６７】
エア取り出し口３８は上下に２又に分かれる。この例では、上方のエア取り出し口３８Ａはパージ付きのソケットであり、下方のエア取り出し口３８Ｂは通常のソケットである。
【００６８】
このように一対のエア取り出し部１０Ｃは、左右一対のタンク２１Ａ，２１Ｂの頂面同士を結んだ水平線（モータ軸）とほぼ並行で、しかもエア取り出し部１０Ｃの双方を本体中心面側に寄せて配置すると共に、それぞれのエア取り出し部１０Ｃ，１０Ｃからのエア取り出し口３８，３８が二次圧力管路３２Ｂ，３２Ｂに対して垂直な方向に配置されている。そのため、その高さ、幅および長さを短縮した小型のエア取り出し部１０Ｃを実現できる。
【００６９】
減圧弁３３は、モータ軸に並行しているので、圧力の調整が容易であり、圧力計３５は斜めに配置されているため、塵埃が計器面を滑り落ちるようになるので、計器面が見やすくなるなどの実益を有する。
【００７０】
＜インバータ基板の配置＞
インバータは、圧縮用モータ１２を駆動するために使用される回路素子群であって、インバータ基板１０Ｄを有し、図７のようにほぼ矩形状の基板上にコイル、コンデンサなどの複数の回路素子がマウントされて構成される。
【００７１】
インバータ基板１０Ｄは、タンク部１０Ｂの上面であって、圧縮用モータ１２と一次シリンダ１５Ａとの間に存在する空間（スペース）内に取り付けられる。インバータ基板１０Ｄはタンク部１０Ｂを取り付ける連結部材（図示はしない）に、補助部材６２を介してモータ軸と並行するように立設される。
【００７２】
インバータ基板１０Ｄは圧縮用モータ１２やクランクケース１６よりも背丈が低く、しかもインバータ基板１０Ｄを立設したとき、インバータ基板１０Ｄの回路素子が上述したエア取り出し部１０Ｃとは重ならないようにインバータ基板１０Ｄの厚みが選定される。
【００７３】
インバータ基板１０Ｄのうちその基板の回路素子マウント面とは反対側の面（裏面）が冷却ファン１３側を向くように配置され、インバータ基板１０Ｄを効率よく冷却できるように工夫されている。
【００７４】
＜操作部の配置＞
図１等に示すようにエア取り出し部１０Ｃの上面空間内に突出した突出部６５には、エアコンプレッサ本体を操作する操作部１０Ｅが配置される。操作部１０Ｅには電源スイッチなどが配される他、表示インジケータなどの表示部品が付設される。操作面は後述する本体カバー１０Ｆの外面より突出しないように所定の傾斜をもって操作部１０Ｅが取り付けられる。
【００７５】
＜本体カバー＞
本体カバー１０Ｆは、圧縮機全体をカバーするために設けられたもので、図１１のように側面からみるとほぼ台形状をなす。本体カバー１０Ｆは前面７１、頂面７２および背面７３から構成され、前面７１から頂面７２に連なる部分が屈曲部となり、前部屈曲部８７を構成している。同様に、頂面７２から背面７３に連なる部分も屈曲部となされ、後部屈曲部８８を構成している。前面７１は傾斜面となっており、傾斜面の中央には突出部６５が設けられ、突出部６５の中央開口部６５Ａは上述した操作部１０Ｅの挿着孔となされる。突出部６５は前面側から見るとほぼ台形状をなし、左右斜面がある。
【００７６】
前面７１の下部の両側には、エア取り出し部１０Ｃを構成する減圧弁３３を外部に露出させるための逃げ部６７と、圧力計３５を外部に露出させるための逃げ部６６がそれぞれ設けられると共に、突出部６５の下部に連なってエア取り出し口３８用の取り出し口（透孔）６８が設けられている。逃げ部６６の上部には、後述するベルト係止金具９６（図１４）を挿通するための長穴７５が形成される。本体カバー１０Ｆの側面にはすだれ状の空隙を備えた空気取り入れ部６９と、ドレンコックの取り出し孔２５Ａが設けられている。
【００７７】
頂面７２から背面７３に連なるように凹部、この例では段丘状凹部８５が形成される。段丘状凹部８５は最も高いところが段丘頂部８５Ａであり、この段丘頂部８５Ａから段丘面８５Ｂが連なり、この段丘面８５Ｂの最深部が凹状の段丘底部８５Ｃとなる。段丘底部８５Ｃの幅および深さは、図１６に示すようにベルト９１の幅よりも若干広めで、その深さより若干深くなるように設計されている。
【００７８】
段丘底部８５Ｃの中心はエアコンプレッサ本体の正面側から見てその中心を通る中心線上に位置する（図５）。 背面７３側の段丘状凹部８５は、頂面７２側のそれよりも深さが全体で僅かに浅くなされているが、段丘底部８５Ｃの深さは頂面７２側と同じ程度の深さが形成されている。これは、後述するように ベルト９１がこの段丘底部８５Ｃにおけるコンプレッサ本体（本体カバー１０Ｆ）との係合が外れにくくするためである。
【００７９】
図１８のように後部屈曲部８８の段丘底部８５Ｃをベルトのズレを防止する規制部（ベルト拘束部）として機能させることで、ベルトによるコンプレッサ本体の拘束力を発揮させることができる。これにより、コンプレッサ本体の重心位置がハンドル（ベルト位置）からずれていたとしても、エアコンプレッサ本体の姿勢を安定させることができる。
【００８０】
頂面７２側に形成された段丘底部８５Ｃから段丘頂部８５Ａまでの深さは、後述するようにグリップ１００の厚みと同等か、僅かに突出する程度の深さに選定されているが（図１６）、これは例えば本体カバー１０Ｆの上面に何か物を載せたときでも、グリップ１００が邪魔して載置状態が不安定にならないようにするためでもある。グリップ１００は弾力性を有するので、載置物の重みでグリップ１００の膨らみが多少平たく変形することになるから、グリップ１００が僅かに突出していても特に問題とはならない。
このようにメインベルト９１Ａとの当接個所に凹部（段丘状凹部８５）を設けることで、当接部による本体カバー部の拘束力が高まり、ベルトの横ずれも防止できる。ベルトと当接することによってエアコンプレッサ本体の姿勢変化を規制する規制部として機能する当接部は、本体カバーの前面側および背面側の屈曲部などを利用することで、構成を複雑化させることなく、エアコンプレッサ本体の姿勢を規制できる。
【００８１】
＜ベルト式のハンドル＞
ベルト式のハンドルは、ひも状、または布状に織られた繊維や皮革などから成るベルトで構成される。
ハンドルをベルトで構成すると、薄型ハンドルとなるが、ベルト素材は一般に柔軟であるため、エアコンプレッサ本体を運搬する際、本体が安定し難くなるおそれがある。例えば、タンク部の長手方向の両端で１個所ずつベルトを連結する場合には、連結部分同士を結んだ直線を軸にしてエアコンプレッサ本体が倒れたりするおそれがある。連結部分を増やして多点でベルトを連結すれば、エアコンプレッサ本体の運搬が安定する。しかし、連結部を増やすと、その分コストが高くなったり、重量も増え、エアコンプレッサが扱いにくくなってしまう。
したがって、薄型ハンドル構成を採用する場合、薄型のメリットを充分活かしつつ、如何にして運搬時の不安定性を克服するかが重要になる。運搬時の不安定性は、ベルトによってエアコンプレッサ本体の姿勢を規制することによって解消できる。
そのためには、エアコンプレッサ本体に連結する連結部以外に、エアコンプレッサ本体とベルトが当接する当接部を設け、この当接部を本体運搬時のみ規制部として機能するように工夫することで、本体運搬時の本体姿勢の安定性を確保できる。つまり、ハンドルを持ったときのベルトに加わる張力を利用してベルト自身の動き（横ずれ）を規制することで、本体姿勢の安定性を実現できる。
そのため、後述するようにハンドル把持部としてのグリップと、エアコンプレッサ本体との連結部（タンク部に設けられた連結部）とを結ぶ直線（図１に鎖線図示）よりも外側にベルトの規制部として機能する当接部を設けることによって、ハンドルを持ったときのベルトに加わる張力を利用してベルト自身の動き（横ずれ）を規制することができる。
さらにベルトとの当接個所に凹部を設けることで、当接部におけるベルト拘束力が高まり、ベルトの横ずれも防止できる。そのため、エアコンプレッサ本体の姿勢変化を規制する規制部として機能する当接部は、本体カバーの前面側および背面側の屈曲部などが利用される。本体カバーの屈曲部を利用することで、構成を複雑化させることなく、エアコンプレッサ本体の姿勢を規制することができる。
エアコンプレッサ本体を規制する規制部は、上述したようにベルトの連結部と当接部とを含む概念であるが、このベルトの連結部と当接部は異なる位置であって、しかも高さ方向に対して上下関係となるように設けられる。後述のようにベルトの連結部はタンク部に設けられ、当接部は本体カバーの背面側が利用されるため、当接部の方が高い位置となる。
【００８２】
ベルト式のハンドルは、ベルト９１のみで構成することもできるが、本実施例ではベルト９１の他に、このベルトに装着された扁平なグリップ１００とで構成される。
ベルト９１は、本体カバー１０Ｆの上部を跨ぐように取り付けられる。ベルト９１はメインベルト９１Ａとサブベルト９１Ｂに分割され、エアコンプレッサ本体を跨ぐように取り付けられる。本実施例では、グリップ１００がメインベルト９１Ａに係着される。サブベルト９１Ｂを含めたベルト全体は、図１２のように本体カバー１０Ｆの前面７１から背面７３に至る本体カバー１０Ｆの上面にほぼ接した状態で本体カバー１０Ｆの左右両端間に差し渡される。
【００８３】
グリップ１００のベルトへの係着の一例は、グリップ１００の中心がエアコンプレッサ本体の重心の鉛直軸上にあるのが好ましい。そのように配置することで、運搬時の本体バランスを良好に保てる。しかし実際には、本体サイズ（小型化）が優先され、重心位置がグリップ部と一致するようにレイアウトすることは困難であるため、ハンドルには後述するように運搬時の本体バランスを安定させる機能が求められる。
ベルト式のハンドルであるため、ハンドル自体の厚みを低減させることができる。ベルト９１は後述するように柔軟な材質を利用しているため、特別な機構を設けなくても、ハンドル部が本体カバー１０Ｆの段丘状凹部８５（段丘底部８５Ｃ）に接するように設けることができ、エアコンプレッサ本体の全高を低く抑えることが可能になり、エアコンプレッサ本体のコンパクト化を実現できる。
【００８４】
＜グリップ＞
グリップ１００の仕様例を示す。
グリップ１００の長さは、両手の握り拳よりも若干長目に選定され、図１６のようにその幅はメインベルト９１Ａのそれよりも幅広であるが、段丘底部８５Ｃの幅よりも若干狭めである。グリップ１００は握りやすいように柔軟性のあるクッション材１００Ａが内包され、その厚みはベルト９１の上下面で異なり、本体カバー１０Ｆ側が肉厚部となっている。
【００８５】
クッション材１００Ａとしては弾力性のあるポリエチレンによる発泡材などが使用されている。クッション材１００Ａそのものの厚みは５ｍｍ程度のものが使用される。この程度の厚みを有するクッション材１００Ａを使用したときには、本体カバー面が二重となるように内包される。グリップ１００は段丘頂部８５Ａよりも僅かに高めとなる。
【００８６】
グリップ１００はメインベルト９１Ａに係着される。そのため、クッション材１００Ａを包皮するため合成皮革などを使用した外皮１００Ｂによって覆われ、外皮１００Ｂの両端側とメインベルト９１Ａとが縫製によって強固に係着・固定される。
【００８７】
＜ベルトとエアコンプレッサ本体との連結＞
本実施例におけるベルト９１は、グリップ１００が係着されたメインベルト９１Ａと、メインベルト９１Ａに連結されるサブベルト９１Ｂからなる。
【００８８】
メインベルト９１Ａの先端部とエアコンプレッサ本体とは、エアコンプレッサ本体の中心線上にベルト９１が配置されるように取り付けられるものであり、図１３および図１７に示すように取り付け金具９３と係止金具９４とを使用して連結される。取り付け金具９３は、一対のタンク間の連結板体２０と一体に形成された金属製金具であり、係止金具９４はメインベルト９１Ａの端部に取り付けられた金具である。
【００８９】
取り付け金具９３の位置は、タンクの後端側面の上部付近である。この例では、図３に示すようにエアコンプレッサ本体の重心位置よりも下側に位置する。平面的には図７に示す位置が重心位置となる。係止金具９４のみによって取り付け金具９３、すなわちエアコンプレッサ本体のタンク部１０Ｂに係止されるものであるから、メインベルト９１Ａの一端は１点のみでエアコンプレッサ本体に接続されるように構成される。
【００９０】
係止金具９４は金属板体で構成され、上側に設けられた係止スリット部９４Ａと、下側にこの係止スリット部９４Ａと一体成型された係止部９４Ｂとを有し、係止部９４Ｂには複数、本例では２個の孔が設けられ、一方取り付け金具９３の対応する個所には２個の孔が設けられると共に、取り付け金具９３と接触する面とは反対側の面からナットが圧入されており、これらを利用して係止金具９４が取り付け金具９３にネジ止めされて固定される。
【００９１】
２本のねじによって係止金具９４が固定されるので、エアコンプレッサ本体に対するベルト９１の取り付け角度（ベルトの伸びる方向）が規制される。
【００９２】
係止スリット部９４Ａは、この例では２本のベルトを係着するために使用されるもので、２本の並行スリットがあり、上方スリットはメインベルト９１Ａを係着するために使用され、下方のスリットは後述するショルダーベルト１１０の端部を係着するために使用される。
【００９３】
上方スリットを通ったメインベルト９１Ａの先端は図１７のように内側に折り曲げられた状態で縫い付けられ、同じく下方スリットを通ったショルダーベルト１１０の先端も内側に折り曲げられた状態で縫い付けられる。
【００９４】
メインベルト９１Ａの他端は、図１４のようにサブベルト９１Ｂと連結される。サブベルト９１Ｂの後端は、タンク前端上部に取り付けられた前面金具９５に係止され、エアコンプレッサ本体の前面における接合は、２点で行われる。図示の例ではエアコンプレッサ本体の前面中央部に圧縮機などを駆動・操作するための操作部１０Ｅが位置し、しかもこの操作部１０Ｅが本体前面に突出した突出部６５に設けられているので、この突出部６５を迂回するようにしてタンク部１０Ｂ固定される。その際、二股構成のサブベルトが使用され、正面視で台形状をなす突出部の左右斜面に沿うように突出部６５を回り込んで、タンク２１Ａと２１Ｂにそれぞれ係止される。サブベルト９１Ｂの先端部にはそれぞれ係止金具９６が連結され、係止金具９６が最終的に前面金具９５に係止される。
【００９５】
前面金具９５は、図１５に示すように、コの字状に折り曲げられたくさび状をなす金属板体が使用され、一対のタンク２１Ａ，２１Ｂの各前面上部であって突出部６５の下面に対向した位置に、コの字がエアコンプレッサ本体の正面を向くように接合される。これによって、係止金具９６の取り付けが容易に行える。
【００９６】
また、係止金具９６が前面金具９５に対して動くことがないように固定されるので、ベルト９１を保持した際にエアコンプレッサ本体の姿勢が変化することを規制できる。
【００９７】
また、サブベルト９１Ｂと係止金具９６との接合は、図１４に示すように、本体カバー１０Ｆよりも外側で行われる。具体的には係止金具９６の一端が、本体カバー１０Ｆに形成されている長穴７５を通って露出するように取り付けられる。このように取り付けることでベルト全体を本体カバー部から露出させることができるため、万一ベルトが損傷した際に発見しやすくなり、安全である。また、サブベルト９１Ｂと長穴７５とが接触してサブベルト９１Ｂが損傷することを防ぐこともできる。
【００９８】
このように、本体を跨ぐ様にベルト部材を配置し、本体前部の2箇所と後端部付近１箇所でタンク部１０Ｂと接合するようにハンドルが構成されている。そのため、図７に示すように平面視で重心位置とハンドル位置がずれていても、本体のバランスを崩すことなく、安定して持ち上げることができる。
【００９９】
また、ベルト部材は側面視で本体中央付近の高さで連結されている。そのため、ハンドルのグリップ１００を持って本体を持ち上げると、ベルト９１が直線状に伸びたときのベルトの張力で前後の屈曲部８７，８８周辺において、ベルト９１と本体カバー１０Ｆが当接する。
ベルト９１とタンク部１０Ｂが接合される連結部（取付金具９３、前面金具９５）以外の当接部位（本体カバー１０Ｆの前後屈曲部８７，８８）によっても、ベルト９１がエアコンプレッサ本体の姿勢を規制することになるため、本体を持ち上げる際や運搬時に、一層本体の姿勢を安定させることができる。
【０１００】
＜後部屈曲部とメインベルトとの関係＞
ベルト９１によって、コンプレッサ本体の姿勢をさらに安定させるために、本体カバー１０Ｆの前面７１と背面７３側には、エアコンプレッサ本体の重心位置よりも上部でベルト９１と係合する規制部としての前部屈曲部８７，後部屈曲部８８が設けられる。エアコンプレッサ本体の上下方向に見て、ベルト連結部（係着用連結位置）としての取り付け金具９３、前面金具９５とは異なる位置（高さ）に規制部が配置される。
上述のようにグリップ（ハンドル把持部）と、エアコンプレッサ本体との連結部とを結ぶ直線よりも外側にベルトの規制部として機能する個所を設けることによって、ハンドルを持ったときのベルトに加わる張力を利用してベルト自身の動き（横ずれ）を規制することができる。
エアコンプレッサ本体の姿勢変化を規制する規制部は、上述したようにベルトの連結部として機能する取り付け金具９３、前面金具９５と当接部とを含む概念であるが、このベルトの連結部と当接部は異なる位置であって、しかも高さ方向に対して上下関係となるように設けられる。上述のようにベルトの連結部はタンク部１０Ｂに設けられ、当接部は屈曲部８７，８８が利用されるため、当接部の方が高い位置となる。
ベルト９１と本体カバー１０Ｆとの接触位置がずれないようにしたことで、エアコンプレッサ本体の揺動を規制することができる。このように規制部を設けることで、ベルトとエアコンプレッサ本体の取り付け金具９３、前面金具９５に対して、重心位置がずれている場合でも、ベルト使用時（運搬時）の姿勢が一層安定し、両手持ちと同様な安定感を実現できる。上下方向の拘束部は、重心を挟むように配置した方が効果を得易い。エアコンプレッサ本体の背面側では、メインベルト９１Ａとエアコンプレッサ本体の取り付け金具９３が本体重心位置よりも下方に設けられているので、本体重心位置よりも上部でメインベルト９１Ａを拘束できるように、規制部として機能する後部屈曲部８８が設けられる。
【０１０１】
図１９のようにメインベルト９１Ａの他端はサブベルト９１Ｂとの連結部１０２として機能し、サブベルト９１Ｂの一端と緊密に連結した状態では、グリップ１００の下面が段丘底部８５Ｃに密着する。
【０１０２】
＜メインベルトとサブベルトとの連結＞
ベルト９１は強度保持の関係から２重に重ねられて使用され、背面７３側とは反対側に延びたメインベルト９１Ａは適当な長さを保持した状態で折り返され、この折り返し部分がサブベルトとの連結部１０２として使用される。
【０１０３】
さらにこの連結部１０２には後述するショルダーベルト１１０を係止するための中間係着金具１０５が上面に突出するように介挿されると共に、サブベルト９１Ｂの折り返し端部に中間係着金具１０５が差し込まれた状態で取り付けられる。サブベルト９１Ｂは１本のベルトで二股ベルト（Ｙ字状ベルト）となるように連結部１０２で折り返えされ、しかも上述した突出部６５の上部からこの突出部６５を跨げるようにサブベルト９１Ｂが折り返えされている。
【０１０４】
連結部１０２はメインベルト９１Ａの折り返し部であって、上述した中間係着金具１０５の係着部分として機能する他、サブベルト９１Ｂの折り返し部分の連結部としても機能する。図１９のように中間係着金具１０５はグリップ１００の端部近くに位置した状態で固定でき、しかもサブベルト９１Ｂの介挿部分がこのベルト折り返し部分から抜けでないようにメインベルト９１Ａが縫い付けられる。中間係着金具１０５はある程度裕度を持たせてあり、ショルダーベルト１１０を使用しないときは中間係着金具１０５を前後に倒せるようになっている。
【０１０５】
＜前部屈曲部とサブベルトとの関係＞
本体カバー１０Ｆの前面７１側にも、ベルト９１と本体カバー１０Ｆとの接触位置がずれないようにすることで、エアコンプレッサ本体の動きを規制（拘束）する前部屈曲部８７が設けられる。
【０１０６】
そのため、突出部６５の上方であって、エアコンプレッサ本体の前面７１と頂面７２に連なる部分が規制部（前部屈曲部８７）となるように本体カバー１０Ｆが成型されている。上述したメインベルト９１Ａとサブベルト９１Ｂとの連結部１０２が丁度この前部屈曲部当たりとなる。具体的には連結部１０２の前面側端部近辺が規制部（前部屈曲部８７）となるように本体カバー１０Ｆが成型されている。
【０１０７】
なお、前部屈曲部８７と後部屈曲部８８とのほぼ中間位置にグリップ１００が位置する。バランスよく持ち運ぶことができるようにするためである。
【０１０８】
メインベルト９１Ａとサブベルト９１Ｂとを連結するに当たっては、本体カバー１０Ｆの段丘状凹部８５、より具体的には段丘底部８５Ｃにベルト９１が接するように本体カバー１０Ｆに緊縛される。どの程度で緊縛するかはベルト縫い付け時に調整される。
【０１０９】
したがってグリップ１００を握ってエアコンプレッサ本体を持ち上げたとき、前部屈曲部８７と連結部１０２が密着することによって本体の姿勢変化を規制する規制力が働き、エアコンプレッサ本体を安定した姿勢で運搬したり、移動させることができる。
【０１１０】
エアコンプレッサ本体への取り付け金具９３、前面金具９５が、本体重心よりも低い位置に設けられているため、姿勢規制部である屈曲部８７，８８の位置を重心位置よりも上部に設ける事が望ましいが、ベルト取り付け部と異なる高さであれば、バランスを整える効果は得られる。
【０１１１】
本実施例では、ベルト９１と本体が当接する当接部（屈曲部８７，８８）を本体カバー１０Ｆに設けたが、本体カバー以外の部品で当接部を形成しても同様の効果が得られることは言うまでもない。
上述した実施形態は、ベルト９１とエアコンプレッサ本体が3箇所で連結されているが、エアコンプレッサ本体との連結部が2箇所であったとしても、一箇所以上の規制部を設けることで本体の姿勢を安定させることができる。また、ベルト９１をリング状に形成し、1箇所でエアコンプレッサ本体と連結するようにしても、規制部を2箇所以上設けることで本体運搬時の姿勢を安定させることができる。
【０１１２】
＜ショルダーベルト＞
ショルダーベルト１１０は、グリップを用いないで肩に担いでエアコンプレッサ本体を持ち運びするときに使用される。ショルダーベルト１１０の一端は上述したように背面側に設けられた係止金具９４に係止され、その他端は中間係着金具１０５に係止される。  
中間係着金具１０５としては図１９に示すようにこの例では４つの並行スリット１０５Ａ〜１０５Ｄを有する金具が使用される。ショルダーベルト１１０の遊端（自由端部）を上方より第１、第２、第３、第４の並行スリット１０５Ａ，１０５Ｂ，１０５Ｃ，１０５Ｄの順に通し、第４の並行スリット１０５Ｄで遊端を折り返し、今度は第２および第１の並行スリット１０５Ｂ，１０５Ａの順に遊端を通すことで、ショルダーベルト１１０を中間係着金具１０５に係着することができる。
【０１１３】
このような通し方を採用することで、中間係着金具１０５を通過したショルダーベルト１１０には、荷重をかける度に遊端側を中間係着金具１０５側に押し付ける方向に荷重が作用して締結力が増して行くので、ショルダーベルト１１０を使用していないときであっても、このショルダーベルト１１０が弛みにくくなる。
【０１１４】
ショルダーベルト１１０の長さの調整は、中間係着金具１０５にショルダーベルト１１０を係止するときに行うか、ショルダーベルト１１０の途中にアジャスタとバックルを使用したベルト用アジャスタ（図示はしない）を取り付け、このアジャスタを利用して行う。
【０１１５】
上述した例では、ショルダーベルト１１０は中間係着金具１０５を介してベルト９１に連結されるように構成してあるが、中間係着金具１０５を省き、連結部１０２にショルダーベルト１１０の他端を直接縫い付けた構成でも差し支えない。
【０１１６】
なお、ショルダーベルト１１０を利用する場合、その両端の係止位置を、グリップ１００の両端近傍に設けることも可能であるが、そうすると係止位置が互いに近すぎるため、ショルダーベルト１１０を肩にかけたときの安定性が悪い。上述のようにショルダーベルトの係止位置をある程度離すことで、本体運搬時の安定性を大幅に改善できる。グリップ１００の両端近傍からショルダーベルトを吊り上げる構成では、グリップ周辺機構の強度などを考慮する必要もある。
【０１１７】
＜ショルダーベルトの折り畳み＞
ショルダーベルト１１０を使用しないときは、図１４のように中間係着金具１０５からショルダーベルト１１０の他端を外して折り畳み、背面７３側に設けられた折り畳み部１２０に折り畳まれる。折り畳み部１２０は背面７３側のショルダーベルト１１０に取り付けられた面ファスナー等が利用される。
【０１１８】
＜ベルトの構成＞
ベルト９１は、樹脂（ポリプロピレン樹脂、ポリアセテート樹脂、炭素樹脂など）や綿、麻などの細い糸を一種以上混紡して帯状に織ったものが使用される。その幅は、３０〜５０ｍｍ程度である。織り方は平織り、綾織り、特殊な二重織りなど、引っ張り強度に優れ、縮みが少ない織り方が推奨される。本例では、ポリプロピレン糸を使用した織りベルトで同様な特性を実現している。
【０１１９】
＜電源コード＞
エアコンプレッサ１０を使用しないときは、図１４のように背面７３側に設けられた一対の鍔部１３０によって形成される収納部を利用する。一対の鍔部１３０間を利用して電源コードが巻き付けられる。
【産業上の利用可能性】
【０１２０】
この発明は、各種建築現場、リフォーム現場などの工事現場において使用される工事用エアコンプレッサに適用して好適である。
【符号の説明】
【０１２１】
１０・・・エアコンプレッサ
１０Ａ・・・圧縮機
１０Ｂ・・・タンク部
１０Ｃ・・・エア取り出し部
１０Ｄ・・・インバータ基板
１０Ｅ・・・操作部
１０Ｆ・・・本体カバー
３８・・・・エア取り出し口
５０・・・脚部
８５  ・・・段丘状凹部
８５Ａ・・・段丘頂部
８５Ｂ・・・段丘面
８５Ｃ・・・段丘底部
８７  ・・・前部屈曲部（規制部）
８８  ・・・後部屈曲部（規制部）
９０  ・・・ベルト式ハンドル
９１  ・・・ベルト
９１Ａ・・・メインベルト
９１Ｂ・・・サブベルト
９３  ・・・取り付け金具
９４  ・・・係止金具
９５  ・・・前面金具
１００・・・グリップ
１０５・・・中間係着金具
１１０・・・ショルダーベルト
【図１】
2018096308.tif 000003
【図２】
2018096308.tif 000004
【図３】
2018096308.tif 000005
【図４】
2018096308.tif 000006
【図５】
2018096308.tif 000007
【図６】
2018096308.tif 000008
【図７】
2018096308.tif 000009
【図８】
2018096308.tif 000010
【図９】
2018096308.tif 000011
【図１０】
2018096308.tif 000012
【図１１】
2018096308.tif 000013
【図１２】
2018096308.tif 000014
【図１３】
2018096308.tif 000015
【図１４】
2018096308.tif 000016
【図１５】
2018096308.tif 000017
【図１６】
2018096308.tif 000018
【図１７】
2018096308.tif 000019
【図１８】
2018096308.tif 000020
【図１９】
2018096308.tif 000021